【事件の表示】
　特願２００６−２１６３４５「テレビ電話装置」拒絶査定不服審判事件〔平成１９年　１月２５日出願公開、特開２００７−　２０２０２〕について、次のとおり審決する。
【結　論】
　本件審判の請求は、成り立たない。
【理　由】
第１．手続の経緯と本願発明
　本願は，平成４年１０月２３日に出願した特願平４−２８６４６７号の一部を，平成１３年８月１６日に新たな特許出願として出願した特願２００１−２４６８８４号の一部を，平成１６年５月３１日に新たな特許出願として出願した特願２００４−１６０５０３号の一部を，平成１８年８月９日に新たな特許出願としたものであって，特許請求の範囲の請求項３に係る発明（以下，「本願発明」という。）は，平成２０年１０月１０日に提出された手続補正書により補正された明細書及び図面の記載からみて，その特許請求の範囲の請求項３に記載された以下のとおりのものである。　
　
（本願発明）
　「片手で筐体を保持しながら音声通話および映像の受信が可能な携帯型電話装置であって，
　映像を表示するディスプレイと，
　使用者の操作を受け付ける操作部と，
　受信した音声を流すスピーカと，
　使用者の音声を入力するマイクと，
　イヤホンを差し込むためのイヤホン接続部を有し，
　前記ディスプレイにより受信した映像を表示する際に，前記イヤホン接続部に前記イヤホンを接続した場合，当該イヤホンから音声を流すことを特徴とする携帯型電話装置。」
　
第２．引用発明
　原審の拒絶理由に引用された特開平４−２３７２４６号公報（以下，「引用例」という。）には図面とともに以下の事項が記載されている。
　イ．「【請求項１】　相手先に関する映像情報を記憶する記憶手段と，前記記憶手段に記憶されている映像情報の読出しを指示する指示手段と，前記指示手段により指示された映像情報を複数同時に読出して表示する表示手段と，前記表示手段に表示された映像情報に対応する相手先に接続する通信制御手段と，を有することを特徴とする通信装置。」（２頁１欄２行〜８行）
　
　ロ．「【０００９】図１において，１００は実施例の電話機本体を示し，１０１はテンキー等を備えた操作部である。１０２はデータ抽出部で，操作部１０１よりの指示に従って対応する映像データを映像メモリ１０３より読出したり，あるいはデータメモリ１０５より対応する電話番号等を読出す。更に，この読出された映像データを表示部１０４に出力して表示したり，データメモリ１０５より読出した電話番号に従って通信路制御部１０６により回線２５に呼出しを行うことができる。
【００１０】図３はこのデータ抽出部１０２の制御動作を示すフローチャートで，以下，このフローチャートに従ってデータ抽出部１０２の動作を説明する。
【００１１】まずステップＳ１で，操作部１０１のセレクト（ｓｅｌｅｃｔ）ボタンが押されたかどうかを調べ，押されるとステップＳ２に進み，映像メモリ１０３より画像データを呼び出して，ステップＳ３でこの読出したイメージデータを表示部１０４に表示する。この映像メモリ１０３には，例えば電話番号が登録されている相手先の人物の顔写真等のイメージデータが記憶されており，セレクトボタンの押下に従って順次読出されて表示部１０４に表示される。
【００１２】こうして，所望の相手のイメージが表示部１０４に表示されると，呼出しスイッチ（ｃａｌｌ）が押下されてステップＳ４からステップＳ５に進むが，表示されたのが通話したい相手方でない場合は，再度セレクトボタンが押されてステップＳ２に戻る。この動作が，所望の相手方が表示されるまで繰り返し行われる。
【００１３】ステップＳ５では，操作部１０１の呼出し（ｃａｌｌ）ボタンにより，表示中の映像データに関連付けて登録されている電話番号を，データメモリ１０５より読出して，ステップＳ６で，その電話番号を表示部１０４に表示する。ステップＳ７では，その番号を確認し，誤っていればキャンセル（ｃａｎｓｅｌ）ボタンを押下すると再びステップＳ１に戻り，前述の処理を行う。ステップＳ７でキャンセル（ｃａｎｓｅｌ）ボタンが押下されないときはステップＳ８に進み，その電話番号で発信するダイヤル制御動作に移る。そして，呼が成立するとステップＳ９に進み，電話での通話が行われる。
【００１４】なお，映像メモリ１０３は半導体メモリでも，あるいはスチルビデオフロッピィ（ＳＶフロッピィ）又はＶＴＲでも良い。また，ＳＶフロッピィの場合，電話番号をコントロール・トラックに書込んでもよく，あるいはＩＤワードとして電話番号を記憶するようにしてもよい。
【００１５】また，表示部１０４は静止画ＴＶ電話の表示部（カラーＬＣＤ等）と共用してもよく，また超小型のカラーＬＣＤなどであってもよい。＜第２の実施例＞次に図４と図５とを参照して，本発明の第２の実施例を説明する。」（２頁２欄３９行〜３頁３欄３７行）
　
　ハ．「【００１６】図４において，４００は静止画ＴＶ（テレビ）電話の外観図である。キャビネット（本体）には，通信に必要なマイク４３と，相手側の音声等を出力するスピーカ４５が，ハンドフリー方式のハウリング防止回路形式の音声処理回路５２（図５）を介して設けられている。４１はＬＣＤカラーモニタ，４２はカメラで，操作者を撮影して，その画像データを相手先に送信することができる。４４は操作パネルで，前述したセレクトボタン（ｓｅｌｅｃｔ）４８や呼出しボタン（ｃａｌｌ）４９及びキャンセルボタン（ｃａｎｃｅｌ）５０，更には登録ダイヤルスイッチ，電話番号等を入力するためのテンキー等が設けられている。４６はスチルビデオフロッピィで，映像メモリとして相手先の写真画像等を記憶している。４７はスチルビデオフロッピィ４６の挿入口である。
【００１７】図５は図４に示した実施例のテレビジョン（ＴＶ）電話の概略構成を示すブロック図で，図４と共通する部分は同じ番号で示し，それらの説明を省略する。
【００１８】コントローラ４７０は，操作パネル４４のセレクトボタン４８が押下されると，トラックサーボ４７８，ディスクサーボ４７９によりフロッピィ４６を回転させ，そこに記憶されている映像データを読出す。この映像データは再生部４７１，スイッチＳＷ３を通して表示部４１に表示される。そして，前述の実施例のようにして，所望の相手が表示されると，その相手の登録番号を入力して電話することができる。この場合のコントローラ４７０による制御処理は，図３のフローチャートと同様にして行われる。
【００１９】また，この表示を行う他の方法を図５と，図６のフローチャートを参照して説明する。ステップＳ１１で操作パネル４４より登録番号が入力されると，その番号は登録番号毎に電話番号及びその映像データを管理格納している登録番号管理部５８に入力される。そして，コントローラ４７０はステップＳ１２で，その入力された登録番号に対応する画像をトラツクサーボ４７８を制御して，ＳＶフロッピィ４６の所望のトラックから静止画情報として，ヘッド４７４により映像データを読出す。このヘッド４７４はヘッド送り機構４７５に設置されており，トラツクサーボ４７８の制御下でモータ４７６にて駆動される。又，ＳＶフロッピィ４６はディスクサーボ４７９の制御下で，モータ４７７にて駆動される。
【００２０】ヘッド４７４は記録／再生切換スイツチ４７３に接続されており，再生時は再生部４７１へ再生信号を供給し，記録時は記録部４７２より入力された信号を基にフロッピィ４６に書込みを行う。この記録する情報はスイッチＳＷ２により切換えられ，カメラ４２よりの映像もしくは静止画ＴＶ電話の復調器５３−ａの出力のどちらかを選択することができる。
【００２１】一方，再生された映像情報はスイッチＳＷ３を端子ｂに接続し，加算器５０１を経由して表示部４１へ供給される（ステップＳ１３）。また，ステップＳ１４でＲＡＭ５９に記憶されている対応する電話番号をアドレス制御部５７により読出し，ステップＳ１５で表示発生部５６を通して加算器５０１により映像データと重ね合せて表示することができる。このとき，スイッチＳＷ３により，表示部４１に表示される画像は，再生部４７１よりの再生信号の他に，カメラ４２，デコーダ５３−ａのいずれか１つよりのイメージ信号を選択することができる。なお，これらスイッチＳＷ１〜ＳＷ３の切換は，コントローラ４７０よりの指示により行われる。
【００２２】こうしてステップＳ１６に進み，この表示された相手先に電話をしたい旨が操作パネル４４より指示されるとステップＳ１７に進み，ダイアル発信部５５，回線インターフェース部５１により相手先に発呼する。
【００２３】一方，フロッピィ４６よりの再生信号は，スイッチＳＷ１をｂ端子に接続することにより選択された後，エンコーダ５３−ｂにて静止画ＴＶ電話の通信形態に変換されて，音声処理回路５２，回線インターフェース（Ｉ／Ｆ）５１を介して電話回線２５へ出力することもできる。この電話回線との接続は，登録番号に対応させて記憶してある電話番号をアドレス制御５７を用いて，ＲＡＭ等のメモリ素子５９から読出し，ダイアル発信部５５にて回線インターフェース５１を制御して通話状態を設定する。
【００２４】ダイヤル発信部５５として具体的には，プッシュホン等で用いるデュアルトーンによる電話番号の指定がある。この場合には，ダイヤル発信部５５から音声処理回路５２へデュアルトーンを送出すれば良い。」（３頁３欄３８行〜４頁５欄１７行）
　
　ニ．「【００３１】この様に電話回線上へ映像情報を送出する機能を設けることにより，相手先がこのような電話機を備えていれば，その電話番号に対応する映像情報を相手先から伝送されてきた映像情報を用いて登録をすることができる。」（４頁６欄１７行〜２１行）
　したがって，上記引用例の記載及び図面を考慮すると，上記引用例には以下の発明（以下，「引用発明」という。）が開示されている。
　「音声通話および映像の受信が可能な静止画ＴＶ電話４００であって，
　映像を表示するＬＣＤカラーモニタ４１と，
　操作者の操作を受け付ける操作パネル４４と，
　相手側の音声を出力するスピーカ４５と，
　操作者の音声を入力するマイク４３と，を有し，
　前記ＬＣＤカラーモニタ４１により受信した映像を表示する際に，前記スピーカ４５から音声を出力する静止画ＴＶ電話４００。」
　
第３．対比・判断　
　（１）対比　
　本願発明と引用発明とを対比すると，　
　引用発明の「静止画ＴＶ電話４００」と本願発明の「携帯型電話装置」は，共に「電話装置」で一致し，
　引用発明の「ＬＣＤカラーモニタ４１」は，本願発明の「ディスプレイ」に相当し，
　引用発明の「操作者」は，操作する人が使用する人であるから，本願発明の「使用者」であり，引用発明の「操作パネル４４」は，本願発明の「操作部」に相当し，
　　引用発明の「相手側の音声」は，受信側で受信する音声であるから，本願発明の「受信した音声」であり，引用発明の「音声を出力する」ことは，音声を流すことであるので，本願発明の「音声を流す」ことであり，引用発明の「スピーカ４５」は，本願発明の「スピーカ」に相当し，
　引用発明の「マイク４３」は，本願発明の「マイク」に相当する。
　
　したがって，本願発明と引用発明は，以下の点で一致ないし相違している。　
　
　（一致点）　
　「音声通話および映像の受信が可能な電話装置であって，
　映像を表示するディスプレイと，
　使用者の操作を受け付ける操作部と，
　受信した音声を流すスピーカと，
　使用者の音声を入力するマイクと，を有し，
　前記ディスプレイにより受信した映像を表示する際に，音声を流す電話装置。」
　
　（相違点ａ）
　電話装置が，本願発明は「片手で筐体を保持しながら音声通話および映像の受信が可能な携帯型電話装置」であるのに対し，引用発明は「音声通話および映像の受信が可能な静止画ＴＶ電話４００」である点。
　（相違点ｂ）
　電話装置が，本願発明は「イヤホンを差し込むためのイヤホン接続部」を有して「前記イヤホン接続部に前記イヤホンを接続した場合，当該イヤホンから音声を流す」のに対し，引用発明はそのように構成されていない点。
　
（２）当審の判断　
　相違点ａについて検討する。
　片手で筐体を保持しながら音声通話および映像の受信が可能な携帯型電話装置は，特開平３−１０９８９１号公報，特開平４−３５２８８号公報，特開平４−１６５４９８号公報，実願昭５７−１８５０１９号（実開昭５９−１０８３８０号）のマイクロフィルム等に見られる如く周知技術にすぎず，しかも引用発明も前記周知技術も電話装置の一種であるから，引用発明の「音声通話および映像の受信が可能な静止画ＴＶ電話４００」を「片手で筐体を保持しながら音声通話および映像の受信が可能な携帯型電話装置」に変更する程度のことは，当業者が容易に想到し得ることである。
　
　相違点ｂについて検討する。
　電話装置において，イヤホンを差し込むためのイヤホン接続部を設け，イヤホン接続部にイヤホンを接続した場合に，スピーカからでなくイヤホンから音声を流すようにすることは，特開平４−２０００４７号公報，特開平４−２０００４５号公報，特開平３−１１４３４４号公報，実願平２−８８７０５号（実開平４−４６７４７号）のマイクロフィルム等に見られる如く慣用技術といえるものであるから，「イヤホンを差し込むためのイヤホン接続部」を有して「前記イヤホン接続部に前記イヤホンを接続した場合，当該イヤホンから音声を流す」ようにすることは，単なる周知技術の付加の域を出ず，格別の困難性はない。
　
　上記相違点ａ，ｂについての判断に加え，本願発明が有する効果も引用発明，周知技術および慣用技術から当業者が予測できる範囲のものである。　
　
第４．むすび　
　以上のとおり，本願発明は，引用発明，周知技術および慣用技術に基づいて当業者が容易に発明をすることができたものであるから，特許法第２９条第２項の規定により特許を受けることができない。
　よって，結論のとおり審決する。